(57)【特許請求の範囲】
【請求項１】
液状の人間の排泄物を収集するためのパウチであって、
収集チャンバを画定する入口上部および底部を画定し、それらの周囲に沿って一緒にシールされている第１および第２の壁部と、
前記第１の壁部の前記上部に設けられた入口開口部と、
前記第１および第２の壁部の間の前記上部に設けられた逆流防止膜と、を備え、
前記逆流防止膜は、前記第１の壁部を横切る逆流防止シールにより、前記第１の壁部にその下方周辺部に沿ってシールされ、複数の接着領域が前記逆流防止シールの上方に設けられ、複数のスリットが前記逆流防止シールと前記接着領域の間の前記逆流防止膜に設けられる
ことを特徴する液状排泄物収集用パウチ。
【請求項２】
前記逆流防止シールは、実質的に前記開口部に対して凹んだ弓状のシールである
ことを特徴とする請求項１に記載の液状排泄物収集用パウチ。
【請求項３】
前記接着領域は、弓状に設けられる
ことを特徴とする請求項１または請求項２に記載の液状排泄物収集用パウチ。
【請求項４】
前記スリットは、前記パウチの前記底部に対向する前記弓状部分を有する凹形状に設けられる
ことを特徴とする請求項１から請求項３のいずれか１項に記載の液状排泄物収集用パウチ。
【請求項５】
排水部が、前記パウチの前記底部に設けられる
ことを特徴とする請求項１から請求項４のいずれか１項に記載の液状排泄物収集用パウチ。
【請求項６】
バッフル部材が、前記パウチの前記底部における前記収集チャンバに設けられる
ことを特徴とする請求項１から請求項５のいずれか１項に記載の液状排泄物収集用パウチ。
【請求項７】
前記バッフル部材は、一対の取付線によって前記第１および第２の壁部にそれぞれ取り付けられた管状部材を有する
ことを特徴とする請求項１に記載の液状排泄物収集用パウチ。
【請求項８】
前記取付線は、熱溶着である
ことを特徴とする請求項７に記載の液状排泄物収集用パウチ。
【請求項９】
前記取付線は、その最上端部よりもその最下端部の方が広い間隔を有するテーパ状である
ことを特徴とする請求項７または請求項８のいずれか１項に記載の液状排泄物収集用パウチ。
【請求項１０】
前記管状バッフル部材は、一緒にシールされた２枚の熱可塑性フィルムでできている
ことを特徴とする請求項７から請求項９のいずれか１項に記載の液状排泄物収集用パウチ。
【請求項１１】
前記管状バッフル部材の２枚の熱可塑性フィルムは、異なる材料の積層体であり、これにより前記バッフルシートは、互いに向き合う前記面の融点よりも、前記パウチ壁に対向する前記面により低い融点を有する
ことを特徴とする請求項１０に記載の液状排泄物収集用パウチ。
【請求項１２】
前記接着領域は、スポット溶着部である
ことを特徴とする請求項１から請求項１１のいずれか１項に記載の液状排泄物収集用パウチ。
【請求項１３】
パウチの第１の壁部を設けるステップと、
前記第１の壁部の上部に入口開口部を設けるステップと、
逆流防止膜を設け、前記第１の壁部の前記入口開口部を含む前記上部を覆うように、少なくとも弓状の下部に沿って前記逆流防止膜を前記第１の壁部にシールするステップと、
実質的に同じ形状の第２の壁部を設けるステップと、
前記逆流防止膜が前記第１および第２の壁部との間に挟まされるように、前記第２の壁部をその周囲に沿って前記第１の壁部にシールするステップと、
を有することを特徴とする液状排泄物収集用パウチを製造する方法。
【請求項１４】
前記逆流防止膜は、前記パウチの前記底部に対向する前記弓状部分を有する、前記パウチの前記開口部に対して凹形状に設けられたスリットが設けられる
ことを特徴とする請求項１３に記載の方法。
【請求項１５】
前記接着領域は、前記スリットと少なくとも前記逆流防止膜および前記第１の壁部に接着する弓状のシールとの間に弓状の輪郭で設けられる
ことを特徴とする請求項１４に記載の方法。
【請求項１６】
前記接着領域は、スポット溶着部である
ことを特徴とする請求項１５に記載の方法。
【請求項１７】
前記パウチは、その前記遠位端部に排水弁を備える排水部が設けられる
ことを特徴とする請求項１３から請求項１６のいずれか１項に記載の方法。
【請求項１８】
前記バッフル部材は、前記パウチの前記底部における前記収集チャンバ内に設けられる
ことを特徴とする請求項１３から請求項１７のいずれか１項に記載の方法。
【請求項１９】
前記バッフル部材は、一対の取付線によって前記第１および第２の壁部に取り付けられた管状部材を有する
ことを特徴とする請求項１８に記載の方法。
【請求項２０】
前記取付線は、それらの最上端部よりもそれらの最下端部においてより広い間隔を有するテーパ状である
ことを特徴とする請求項１９に記載の方法。
【請求項２１】
前記管状バッフル部材は、一緒にシールされた２枚の熱可塑性フィルムでできている
ことを特徴とする請求項１８から請求項２０のいずれか１項に記載の方法。
【発明の詳細な説明】
【技術分野】
【０００１】
本発明は、例えば液状の人間の排泄物を収集するためのウロストミーパウチのような液状排泄物を収集するためのパウチに関し、該パウチは、収集チャンバを画定する入口上部および底部を画定する、それらの周囲に沿って共にシールされた第１および第２の壁部と、第１の壁部の上部に設けられた入口開口部と、第１および第２の壁部との間の上部に設けられた逆流防止膜とを備える。
【背景技術】
【０００２】
一旦パウチに入った内容物が逆流しないように、入口開口部の近傍に、尿がストーマから出てそれを介してパウチに入る逆止弁を設けることは周知である。このような装置の例は、特許文献１で知られている。
【０００３】
採尿パウチ内の逆止弁装置の他の例は、特許文献２および特許文献３で知られている。
【０００４】
逆止弁装置は、液体がバルブ装置を介して入口開口部へ戻って漏れるのを防止するように配置されたバルブ装置を形成するため、パウチ内で互いに接着された中間膜部の設置を含んでいる。一般的に、一の弁フラップは、パウチの第１の壁部にシールされ、別の弁フラップは、パウチの第２の外壁膜に隣接してシールされる。弁フラップは、それらの遠位の下方周辺部に沿ってシールされてもよく、さらにバルブを介した逆流を防止するため、折り畳まれたフィルムが取り付けられてもよい。弁フラップまたは中間壁はまた、液体が集まる収集チャンバの上方でパウチを横切って直線的に並べられた多数の離散した場所で互いに溶着される。
【０００５】
パウチ内の逆止弁装置は、内部で所定の容積を占めており、それによってパウチの有効容積を制限する。尿パウチは、排水弁と共にその底部に排水部分を備え、収集パウチの制限された容積を補う排水部分を閉じる排水バッグとして設計されている。
【０００６】
逆止弁膜装置の設置には、パウチの製造中、パウチの外壁を組み立てる前にサブアセンブリが必要である。
【先行技術文献】
【特許文献】
【０００７】
【特許文献１】欧州特許出願公開第１，７４９，５０７（Ａ２）号明細書
【特許文献２】米国特許第４，６０４，０９５号明細書
【特許文献３】米国特許第４，３００，５６０号明細書
【発明の概要】
【発明が解決しようとする課題】
【０００８】
本開示の一態様によれば、製造が容易な逆流防止装置を備えた、人体からの液状排泄物を収集するためのパウチが提供される。本開示の他の態様によれば、パウチの有効容積を増したウロストミーパウチが提供される。
【課題を解決するための手段】
【０００９】
本開示は、人間の液状排泄物を収集するための液状排泄物収集用パウチであって、前記パウチは、収集チャンバを画定する入口上部および底部を画定し、それらの周囲に沿って一緒にシールされている第１および第２の壁部と、第１の壁部の上部に設けられた入口開口部と、第１および第２の壁部の間の上部に設けられた逆流防止膜とを備え、該逆流防止膜は、第１の壁部を横切る逆流防止シールにより、第１の壁部にその下方周辺部に沿ってシールされ、例えばスポット溶着部などの複数の接着領域が逆流防止シールの上方に設けられ、複数のスリットが逆流防止シールと接着領域の間の逆流防止膜に設けられる。
【００１０】
これにより、製造が簡単なパウチの設計となる。好ましい実施形態によれば、弓状シールである逆流防止シールは、実質的に入口開口部に対して凹んでおり、好ましくは入口開口部と基本的に同心である。したがって、スポット溶着部やスリットは、弓状シールから所定の距離で弓状に設けられる。これによって、逆流防止装置の凹形弓状シールにより、パウチの側部が有効容積に含まれるため、液体を収集するための有効容積が増加する。
【００１１】
好ましい実施形態では、スリットは、パウチの底部に対向する弓状部分を有する凹形状に設けられる。また、パウチを横切る弓状のスリットを設けることは、例えばユーザが座ったり、横たわったりしている場合、これによってバッグを傾けることができるため、有利である。パウチがある程度満たされると、凹形弓状形状は、スリットがパウチを横切る直線上に設けられている場合よりも、バッグが傾けられている場合でさえ、より多くのスリットを介して流体が流れるのを可能にする。
【００１２】
好ましい実施形態では、パウチの底部に排水部が設けられる。したがって、第１および第２の壁部は、パウチの排水部を形成するために遠位底部を伴って形成される。排水部には、ユーザがパウチを空にするために操作可能な排水弁を設けてもよい。あるいは、排水部は、パウチの折り込み密閉のための密閉手段が設けられる狭い遠位部分を有してもよい。
【００１３】
本開示に係る液状排泄物収集用パウチの好ましい実施形態では、収集チャンバ内のパウチの底部にはバッフル部材が設けられる。このバッフル部材は、好ましくは、例えば熱溶着などの一対の取付線によって第１および第２の壁部にそれぞれ取り付けられた筒状の部材を備えてもよい。これにより、パウチの中の液状内容物がバチャバチャと動き、それによりユーザに不快感を生じるのを防ぐことができ、また膨化するのを防ぐことができる。
【発明の効果】
【００１４】
取付線は、その最上端部よりもその最下端部の方が広い間隔を有するテーパ状であり、また好ましくは、取付線の遠位端部に内向きの屈曲を伴うことは、取付部付近の壁部にかかるひずみや応力を低減し、それによってパウチの壁部に裂け目が生じるのを防ぐのに、特に有利であるとわかる。
【００１５】
本開示に係るパウチの好ましい実施形態では、不織布コンフォート層が第１の壁部の外側に設けられる。同様に、不織布コンフォート層が第２の壁部の外側に設けられる。これによって、不織布層はパウチが使用中にノイズが小さくなるようなノイズ低減効果を有すると同時に、パウチはユーザの着心地がより良くなる柔軟な外観を有するため、これは有利である。
【００１６】
以下、本発明について添付の図面を参照してより詳細に説明する。
【図面の簡単な説明】
【００１７】
【図１】本開示の一実施形態に係るパウチの身体側の側面図である。
【図２】図１中のパウチの底部を通り、図１の線２−２に沿った横断面図である。
【図３】図１のパウチの遠位側の側面図である。
【図４】図１のパウチの上部を通り、図１の線４−４に沿った詳細な縦断面図である。
【図５】本開示の第２の実施形態に係るパウチの身体側の側面図である。
【図６】図５のパウチの上部を通り、図５の線６−６に沿った詳細な縦断面図である。
【発明を実施するための形態】
【００１８】
図１〜図４を参照すると、本開示に係る液状排泄物収集用パウチの第１の実施形態が示されている。パウチは、パウチを形成するためにその周囲３に沿ってシールされている身体側の第１の壁部１および遠位側の第２の壁部２を備える。パウチの上部２０には、入口開口部４が第１の壁部１に設けられる。中間逆流防止膜５が、第１および第２の壁部１、２の間の上部２０に設けられる。逆流防止膜５は、その下部外縁６で第１の壁部１に、それらの共通外縁で第１および第２の壁部１、２にシールしてもよい。逆流防止膜５は、開口部４を覆い、下部シール６は、開口部４から所定距離に設けられる。下部シール６は、好ましくは入口開口部４と実質的に同心に設けられ、すなわち、シール６は、パウチを横切る凹形状に延びる。例えばスポット溶着部７などの多数の接着領域が、パウチを横切る同様の凹形弓状の構成で設けられ、好ましくは、スポット溶着部７は、逆流防止シール６から上方に等距離にある。弓状シール６とスポット溶着部７との間には、複数のスリット８が逆流防止膜５に設けられる。スポット溶着部７は、（図６の実施形態の場合と同様に）逆流防止膜５を少なくとも身体側の第１の壁部１にシールするが、図４に示すように、パウチの遠位の第２の壁部２にシールしてもよい。パウチの壁部１、２および逆流防止膜５の双方を接着する場合、パウチが液体で満たされているときにパウチの膨らみは制限される。
【００１９】
この構成により、開口部を介してパウチに入った液状内容物を格納するための収集チャンバが、逆流防止シール６の下方にも、逆流防止膜５と第２の壁部２との間にも設けられる。パウチの下部３０には、バッフル部材９が収集チャンバ内、すなわち第１および第２の壁部１、２の間に設けられる（図２参照）。
【００２０】
パウチは底部で、パウチに収集された液体を空にするためにユーザが操作可能な排水弁１０で終わってもよい。パウチの遠位下端にある排水部には、好ましくは補強テープ１４がパウチの両側に適用されてもよい。
【００２１】
バッフル部材９は、２つの長手方向の溶着部９３により接合された２枚の膜９２によって形成された管状構造であってもよい。管状構造は、垂直方向に設けられてもよい。管状バッフル部材９は、第１および第２の壁部１、２にそれぞれ取り付けられる。これらの取り付けは、ほぼ軸方向に延びる取付線９１の形であってもよい。好ましくは、バッフル部材９は、略直線状であって最上端部よりも最下端部においてより広い間隔を有する非平行な２つの取付線９１によって、パウチの各壁部１、２に取り付けられる。図示された実施形態では、各壁部１、２上の２つの取付線９１は、パウチの長手方向中心線周りに対称であり、２対の取付線９１、すなわち、バッフル部材９と第１の壁部１を接合する２つの取付線９１、および、バッフル部材９と第２の壁部２を接合する２つの取付線９１は、形状と位置が同じである。膜９２は、製造中に溶着が全体に生じないように、膜９２のパウチの壁部に対向する面よりもバッフルの内側に対向する面の方がより高い融点を有する異なる熱可塑性材料の積層体でできていてもよい。好ましい実施形態では、膜９２に用いられる材料は、膜９２の内側にあるポリプロピレンと外側にあるポリエチレンの積層体である。この構成では、パウチの壁部１、２の内面に対向する膜９２の面にあるポリエチレンは、約１１０℃の融点を有するのに対して、バッフル部材９の内面を形成するバッフルフィルム９２の面にあるポリプロピレンは、約１３０〜１４０℃の融点を有する。
【００２２】
図４には、図１〜図３のパウチの逆止弁装置の概略断面図が示されている。パウチは、例えば、シール４３によってパウチに溶着または他の方法で固定された接着ウエハ４１などの結合手段を介してユーザに取り付けてもよい。パウチは、身体側の壁部１と遠位側の壁部２によって構成され、それらの間には逆流防止膜５が開口部４の周囲に配置される。柔らかな外観を備え、ユーザが動くときにパウチからのノイズを低減する快適なパウチを提供するため、不織布層１１、１２を第１の壁部１および第２の壁部２の外側表面上にそれぞれ設けてもよい。コンフォート層は、環状シール１３によって開口部４の周囲において第１の壁部１にシールされてもよい。フィルムの層、すなわち外側のコンフォート層１１、１２、第１および第２の壁部１、２および中間逆流防止膜５は、個々のスポット溶着部７で接合される。スポット溶着部７に対する逆流防止膜５の第１の壁部１への弓状シール６の位置はまた、図４に示されている。
【００２３】
液状排泄物は、開口部４を介してパウチの中へ入り、第１の壁部１とパウチの上部にある逆流防止膜５とで規定された入口室の中へ入る。液体はその後、第１の壁部１と逆流防止膜５の間を流れ、逆流防止シール６に向かってスポット溶着部７を通過する。ここでは、液体はスリット８（図１参照）を通過し、それによって、第１および第２の壁部１、２の間のパウチの下部、および、逆流防止膜５と第２の壁部２の間のパウチの上部で規定された収集チャンバに入る。
【００２４】
図５および図６を参照すると、本開示に係るパウチの第２の実施形態が示されている。そのパウチは、前述した実施形態とその設計が類似しており、すなわち、パウチを形成するためにそれらの周囲３に沿ってシールされた身体側の第１の壁部１と遠位側の第２の壁部２を備える。パウチの上部には入口開口部４が第１の壁部１に設けられる。第１および第２の壁部１、２の間の上部には中間逆流防止膜５が設けられてもよい。逆流防止膜５は、第１の壁部１にその下方周辺部６で、および、第１および第２の壁部１、２にそれらの共通の周辺部でシールされてもよい。逆流防止膜５は、開口部４を覆い、下部シール６は、開口部４から所定の距離に設けられる。下部シール６は、好ましくは入口開口部４と実質的に同心に設けられ、すなわち、シール６は、凹形状でパウチを横切って延びる。多数のスポット溶着部７がパウチを横切る同様の凹形弓状構成で設けられ、好ましくは、スポット溶着部７は逆流防止シール６から上方に等距離にある。弓状シール６とスポット溶着部７との間には、複数のスリット８が逆流防止膜５に設けられる。スポット溶着部７は、身体側の第１の壁部１に逆流防止膜５をシールする。収集チャンバ内の有効容積が増加するため、これは有利である。しかし、これはパウチが液体で満たされたときに膨らんでしまうリスクを伴うことがあり、それによってユーザに目立つようになるため、周囲シール３は、使用中の充填されているときにパウチの比較的平坦な構成を確保するため、拡大熱融着部３１を内側に突出して設けてもよい。本実施形態におけるパウチは、例えば、シール４３によりパウチに溶着または他の方法で固定された結合リング４２などの機械的結合手段を介してユーザに取り付けてもよい。
【００２５】
図示された両実施形態におけるスリット８は、パウチの上部に対して凹んだ弓状輪郭を備える。これにより、スリット８は、開口部４からパウチの下部３０に向かって流れる流体によって開かれる。しかし、収集チャンバ内の下部３０に既に存在する液体によってスリット８が開かないようにし、それによって逆止弁の効果が得られる。
【００２６】
また、パウチを横切る弓状形状にスリット８を設けることは、例えばユーザが座ったり、横たわったりしている場合、これによってパウチを傾けることができるため、有利である。パウチがある程度満たされている場合、スリット８がパウチを横切る直線上に設けられるよりも、バッグが傾けられている場合でさえ、凹形弓状形状によって流体がより多くのスリット８を通って流れるようになる。したがって、パウチが傾けられているときの有用な容積が増加する。
【００２７】
本開示の上記の説明に関連して、以下の特許請求の範囲には、上、下、水平、垂直等の用語が、液状排泄物収集用パウチの構造を記述するために使用される。これらの用語は、パウチの構造の説明を容易にするために相対的な用語として理解して使用するにすぎない。したがって、パウチは、特許請求の範囲に定義された本発明の範囲から逸脱することなく、異なる方向に配向できること、および、方向を示す用語は、相対的な文脈でしか理解されないことがわかる。
【図１】
0005925795.tif 000002
【図２】
0005925795.tif 000003
【図３】
0005925795.tif 000004
【図４】
0005925795.tif 000005
【図５】
0005925795.tif 000006
【図６】
0005925795.tif 000007